(57)【特許請求の範囲】
【請求項１】
携帯電話機とハンズフリー通話可能に接続するハンズフリー通話接続部と、
前記携帯電話機に記憶されている発信履歴データ、着信履歴データ、不在着信履歴データ及び電話帳データのうち少なくともいずれか１つのデータを受信するデータ転送制御部と、を備え、
前記データ転送制御部は、通信可能な状態の前記携帯電話機から前記データを受信する前に、前記携帯電話機において前記データの転送が許可されているか否かを確認する同期許可確認処理を実行し、前記携帯電話機から前記データを転送するための同期処理が成功しなかった場合には、第１の処理として、前記携帯電話機において前記データを転送するための同期処理が許可されていない可能性があることを報知する、
ハンズフリー装置。
【請求項２】
前記第１の処理は、前記携帯電話機において前記データを転送するための同期処理が許可されていない可能性があることを報知することを含み、
前記携帯電話機において前記データを転送するための同期処理が許可されていない可能性があることを、表示部に表示させることにより、該報知を実行する表示制御部、をさらに備える、
請求項１に記載のハンズフリー装置。
【請求項３】
前記第１の処理は、ユーザによる前記データを手動転送する操作を受け付け不可であることを報知することを含み、
ユーザによる前記手動転送の操作を受け付ける操作ボタンの表示態様を変更する、または前記操作ボタンを非表示にすることにより、該報知を実行する表示制御部、をさらに備える、
請求項１または２に記載のハンズフリー装置。
【請求項４】
前記第１の処理の実行後、前記携帯電話機において前記データを転送するための同期処理が許可された場合、第２の処理を実行する、
請求項２または３に記載のハンズフリー装置。
【請求項５】
前記第２の処理は、同期処理が許可されたことを報知することを含み、
前記表示制御部は、表示部に、同期処理が許可されたこと、またはデータ転送が可能になったことを表示する、
請求項４に記載のハンズフリー装置。
【請求項６】
前記第２の処理は、同期処理を開始するか否をユーザに選択可能に表示することを含み、
前記表示制御部は、表示部に、同期処理を開始するか否をユーザが選択可能な選択画面を表示する、
請求項４または５に記載のハンズフリー装置。
【請求項７】
前記第２の処理は、ユーザによる前記データの手動転送の操作が受け付け可能になったことを報知することを含み、
前記表示制御部は、ユーザによる前記手動転送の操作を受け付ける操作ボタンの表示態様を変更する、または前記操作ボタンを非表示状態から表示状態に変更することにより、該報知を実行する、
請求項４から６のいずれか１項に記載のハンズフリー装置。
【請求項８】
前記第１の処理は、前記携帯電話機との接続を切断することを含む、
請求項１から７のいずれか１項に記載のハンズフリー装置。
【請求項９】
前記ハンズフリー通話接続部は、前記携帯電話機から前記データを転送するための同期処理が成功しなかった場合にも、前記携帯電話機との間で、ハンズフリー通話可能な接続を維持する、
請求項１から７のいずれか１項に記載のハンズフリー装置。
【請求項１０】
携帯電話機とハンズフリー通話可能に接続するハンズフリー通話接続ステップと、
前記携帯電話機がデータの転送を許可しているか否かを確認する同期許可確認ステップと、
前記携帯電話機に記憶されている発信履歴データ、着信履歴データ、不在着信履歴データ及び電話帳データのうち少なくともいずれか１つのデータを受信するデータ転送ステップと、
前記携帯電話機から前記データを転送するための同期処理が成功しなかった場合には、第１の処理として、前記携帯電話機において前記データを転送するための同期処理が許可されていない可能性があることを報知する報知するステップと、
を含むデータ転送方法。
【請求項１１】
コンピュータに、
携帯電話機とハンズフリー通話可能に接続するハンズフリー通話接続ステップと、
前記携帯電話機がデータの転送を許可しているか否かを確認する同期許可確認ステップと、
前記携帯電話機に記憶されている発信履歴データ、着信履歴データ、不在着信履歴データ及び電話帳データのうち少なくともいずれか１つのデータを受信するデータ転送ステップと、
前記携帯電話機から前記データを転送するための同期処理が成功しなかった場合には、第１の処理として、前記携帯電話機において前記データを転送するための同期処理が許可されていない可能性があることを報知する報知するステップと、
を実行させるプログラム。
【発明の詳細な説明】
【技術分野】
【０００１】
本開示は、ハンズフリー装置、データ転送方法、及びプログラムに関する。
【背景技術】
【０００２】
従来、携帯電話機との間で通信回線を確立することにより、ユーザが携帯電話機を直接操作しなくとも、電話の着信および発信をすることを可能にするハンズフリー装置が知られている。このようなハンズリー装置は、例えば車両に搭載され、ユーザが運転中に電話で会話をする場合に使用される。
【０００３】
また、携帯電話機からハンズフリー装置に電話帳データや発着信履歴データを転送する技術が知られている。
【先行技術文献】
【特許文献】
【０００４】
【特許文献１】特開２００２−１９３０４６号公報
【発明の概要】
【発明が解決しようとする課題】
【０００５】
しかしながら、従来技術においては、携帯電話機側の設定により、ハンズフリー装置に電話帳データや発着信履歴データを転送することができない場合に、ユーザがこれらのデータが転送できないことの理由を把握することが困難な場合があった。
【０００６】
本開示は、ハンズフリー装置と携帯電話機とのデータ同期の状態に応じた適切な対応を可能にするハンズフリー装置、データ転送方法、およびプログラムを提供する。
【課題を解決するための手段】
【０００７】
本開示に係るハンズフリー装置は、ハンズフリー通話接続部と、データ転送制御部と、を備える。ハンズフリー通話接続部は、携帯電話機とハンズフリー通話可能に接続する。データ転送制御部は、携帯電話機に記憶されている発信履歴データ、着信履歴データ、不在着信履歴データ及び電話帳データのうち少なくともいずれか１つのデータを受信する。また、データ転送制御部は、携帯電話機からデータを受信する前に、携帯電話機においてデータの転送が許可されているか否かを確認する同期許可確認処理を実行する。また、携帯電話機からデータを転送するための同期処理が成功しなかった場合には、第１の処理として、携帯電話機においてデータを転送するための同期処理が許可されていない可能性があることを報知する。
【発明の効果】
【０００８】
本開示に係るハンズフリー装置によれば、ハンズフリー装置と携帯電話機とのデータ同期の状態の把握を容易にすることができる。
【図面の簡単な説明】
【０００９】
【図１】図１は、第１の実施形態に係るハンズフリー装置の使用形態の一例を示す図である。
【図２】図２は、第１の実施形態に係るハンズフリー装置のハードウェア構成の一例を示す図である。
【図３】図３は、第１の実施形態に係るハンズフリー装置が備える機能の一例を示す図である。
【図４】図４は、第１の本実施形態に係るデータ転送処理の流れの一例を示す図である。
【図５】図５は、第１の実施形態に係る報知画面の一例を示す図である。
【図６】図６は、第１の実施形態に係るハンズフリー通話の待ち受け画面の一例を示す図である。
【図７】図７は、第１の実施形態に係る発信履歴データと電話帳データの対応関係の一例を示す図である。
【図８】図８は、第１の実施形態に係る着信履歴データと電話帳データの対応関係の一例を示す図である。
【図９】図９は、第１の実施形態に係る不在着信履歴データと電話帳データの対応関係の一例を示す図である。
【図１０】図１０は、第１の実施形態に係る発信履歴データ、着信履歴データ、不在着信履歴データおよび全履歴データの一例を示す図である。
【図１１】図１１は、第１の実施形態のハンズフリー装置で実行される発信履歴データおよび着信履歴データおよび電話帳データを使用して電話を発信する処理の流れの一例を示す図である。
【図１２】図１２は、第１の実施形態のハンズフリー装置で実行される発信履歴データおよび着信履歴データおよび電話帳データを使用して電話を発信する処理の流れの一例を示す図である。
【図１３】図１３は、第１の実施形態に係る発信履歴データの一例を示す図である。
【図１４】図１４は、第１の実施形態に係る着信履歴データの一例を示す図である。
【図１５】図１５は、第１の実施形態に係る発信履歴からユーザが発信操作を行う場合の表示画面の遷移の一例を示す図である。
【図１６】図１６は、第１の実施形態に係る着信履歴からユーザが発信操作を行う場合の表示画面の遷移の一例を示す図である。
【図１７】図１７は、第１の実施形態に係る電話帳からユーザが発信操作を行う場合の表示画面の遷移の一例を示す図である。
【図１８】図１８は、第１の実施形態に係る電話帳データの一例を示す図である。
【図１９】図１９は、第１の実施形態に係るＨＦＰ処理の流れの詳細を示すフローチャートである。
【図２０】図２０は、第１の実施形態に係る着信履歴からユーザが発信操作を行う場合の表示画面の遷移の他の一例を示す図である。
【図２１】図２１は、第３の実施形態に係るデータ転送処理の流れの一例を示す図である。
【発明を実施するための形態】
【００１０】
以下、図面を参照しながら、本開示に係るハンズフリー装置、データ転送方法、及びプログラムの実施形態について説明する。
【００１１】
（第１の実施形態）
図１は、本実施形態に係るハンズフリー装置１の使用形態の一例を示す図である。図１に示すように、本実施形態のハンズフリー装置１は、車両３に搭載可能である。ハンズフリー装置１は、携帯電話機２との間で通信接続する。また、携帯電話機２は、携帯電話網を介して基地局４０と無線通信する。携帯電話機２は、例えばスマートフォンであり、近距離無線通信手段であるＢｌｕｅｔｏｏｔｈ（登録商標）方式による通信機能を有する。なお、携帯電話機２は、Ｂｌｕｅｔｏｏｔｈ方式による通信機能を有するものであれば、スマートフォン以外の種類の携帯電話機でも良い。
【００１２】
ハンズフリー装置１は、携帯電話機２を介して携帯電話網に接続する。これにより、例えば、車両３の運転者は、携帯電話機２を操作しなくとも、ハンズフリー装置１を操作することによって、電話の発着信をすることができる。ハンズフリー装置１は、例えば、車両３に搭載された車載ナビゲーション装置の一機能として実現されても良い。
【００１３】
図２は、本実施形態に係るハンズフリー装置１のハードウェア構成の一例を示す図である。本実施形態のハンズフリー装置１は、例えば、ハンズフリー機能付き車載ナビゲーション装置である。ハンズフリー装置１は、制御部１２、Ｂｌｕｅｔｏｏｔｈ通信部１３、操作部１４、表示部１５、作業メモリ１６、記憶メモリ１７、マイクロホン１８及びスピーカ１９を備えて構成されている。
【００１４】
制御部１２は、ハンズフリー装置１の通信動作やデータ管理動作などの動作全般を制御する。制御部１２は、例えば、ＣＰＵ（Ｃｅｎｔｒａｌ  Ｐｒｏｃｅｓｓｉｎｇ  Ｕｎｉｔ）等のプロセッサである。
【００１５】
Ｂｌｕｅｔｏｏｔｈ通信部１３は、近距離無線通信手段であるＢｌｕｅｔｏｏｔｈ方式に対応しており、Ｂｌｕｅｔｏｏｔｈ無線通信圏内に存在している携帯電話機２との間で無線通信回線を確立して、Ｂｌｕｅｔｏｏｔｈの通信規格に準拠した通信を行う。なお、この場合、携帯電話機２が、Ｂｌｕｅｔｏｏｔｈ通信機能を有し、かつハンズフリー装置１のＢｌｕｅｔｏｏｔｈ無線通信圏内に存在していることを前提とする。
【００１６】
本実施形態でのＢｌｕｅｔｏｏｔｈ通信部１３は、ハンズフリー通話を行うための周知のＨＦＰ（Ｈａｎｄｓ  Ｆｒｅｅ  Ｐｒｏｆｉｌｅ）及び、電話帳データの転送、発着信履歴データの転送を行うためのＰＢＡＰ（Ｐｈｏｎｅ  Ｂｏｏｋ  Ａｃｃｅｓｓ  Ｐｒｏｆｉｌｅ）に対応している。これらプロファイルは、機能毎に定義された通信プロトコルを意味している。
【００１７】
携帯電話機２は、周知のように単独（ハンズフリー機器たるハンズフリー装置１との間でＨＦＰを接続していない状態）では、携帯電話網の基地局４０と携帯電話回線を確立して電話の発信処理及び着信処理を単独で行うことが可能に構成されている。この場合、携帯電話機２は、発信処理としては例えばユーザがダイアルキー（「０」〜「９」の数字キー）（図示せず）を操作して発信先の電話番号を入力し、続いて発信キー（図示せず）を操作すると、当該電話番号を発信先として発信することでき、発信先の携帯電話機との間で通話を行うことが可能となる。
【００１８】
また、携帯電話機２は、着信処理としては発信元の携帯電話機が当該携帯電話機２を発信先として発信したことに応じて基地局４０から着信信号を受信すると、基地局４０から発信元の携帯電話機の電話番号を着信電話番号として受信し、ユーザが受話キー（図示せず）を操作すると、発信元の携帯電話機に応答することができ、発信元の携帯電話機との間で通話を行うことが可能となる。
【００１９】
また、携帯電話機２は、日時（日付時刻）を計時する時計部（図示せず）を有しており、上記した発信処理でダイアルキーから入力した発信電話番号と時計部が計時している日時に基づく発信日時との対応を１件分のデータとして複数件分の発信履歴データを記憶保持している。また、携帯電話機２は、上記した着信処理で基地局４０から受信した着信電話番号と時計部が計時している日時に基づく着信日時との対応を１件分のデータとして複数件分の着信履歴データを記憶保持している。
【００２０】
また、携帯電話機２は、着信に対して応答しなかったときに基地局４０から受信した着信電話番号と時計部が計時している日時に基づく着信日時との対応を１件分のデータとして複数件分の不在着信履歴データを記憶保持している。さらに携帯電話機２は、電話番号と登録名との対応を１件分のデータとして複数件分の電話帳データを保持している。電話帳データとは、ユーザが電話番号と登録名とを入力し、これら電話番号と登録名とを対応付けて例えば５００件程度、不揮発性メモリ（図示せず）に記憶させておくものである。
【００２１】
携帯電話機２が電話帳データを保有している場合、上記発信履歴データ、着信履歴データには、上記登録名が含まれる。具体的には、基地局４０から受信した着信電話番号が電話帳データに登録された電話番号であり、携帯電話機２は、この電話番号に登録名が電話帳データに登録されているかチェックし、存在する場合には、着信履歴データは、電話番号と、着信日時と、登録名とから構成される。不在着信履歴データも、同様な処理で、電話番号と、着信日時と、その登録名とからなる。携帯電話機２は、発信履歴データについても、上記発信処理で発信された電話番号が、電話帳データに登録された電話番号であるかチェックする。電話番号が電話帳データに登録されている場合は、発信履歴データは、発信日時と、発信電話番号と、その登録名とから構成される。
【００２２】
そして、ユーザは、携帯電話機２によって電話帳データから読み出された１つの電話番号を選択して発信することにより、電話番号を構成する数字に対応する全ての数字キーを一々入力しなくとも簡単な操作で間違いなく発信することができる。尚、携帯電話機２は、これら発信履歴データや着信履歴データや不在着信履歴データをそれぞれ例えば最新の２０件分を記憶可能であり、発信処理や着信処理や不在着信を行う毎に最古のデータを自動的に消去し、発信履歴データや着信履歴データや不在着信履歴データを更新する。そして、携帯電話機２は、ハンズフリー通話を行うための周知のＨＦＰ、及び電話帳データの転送、発着信履歴データの転送を行うためのＰＢＡＰに対応している。
【００２３】
携帯電話機２が、発着信履歴データの自動転送を規定しているＰＢＡＰに対応している場合には、Ｂｌｕｅｔｏｏｔｈ通信部１３との間で通信回線を確立した直後にＰＢＡＰを接続し、その時点で記憶している電話帳データを自動転送し、さらに、その時点で記憶している発信履歴データや着信履歴データや不在着信履歴データを自動転送する。これにより、携帯電話機２は、ハンズフリー装置１がＢｌｕｅｔｏｏｔｈ通信圏内に存在している場合には、単独で過去に発信処理を行って記憶した最大で２０件分の発信履歴データや単独で過去に着信処理を行って記憶した最大で２０件分の着信履歴データや単独で過去に不在着信処理を行って記憶した最大で２０件分の不在着信履歴データをハンズフリー装置１に自動転送する。
【００２４】
本実施形態においては、発信履歴データ、着信履歴データ、及び不在着信履歴データを総称する場合、単に履歴データという。
【００２５】
ハンズフリー装置１の操作部１４は、ユーザが操作するための本実施形態でいう操作手段であって、例えば表示部１５に形成されるタッチキーから構成され、ユーザの操作を検出し、その操作内容を表す操作信号を制御部１２に出力する。表示部１５は、本実施形態でいう表示手段であって、制御部１２から表示信号を入力すると、その入力した表示信号に基づいて表示画面を表示し、例えばユーザが電話番号を入力する表示画面として「０」〜「９」に対応したダイアルキーが配列された表示画面を表示する。表示部１５は、例えば、液晶ディスプレイまたは有機ＥＬ（Ｅｌｅｃｔｒｏ  Ｌｕｍｉｎｅｓｃｅｎｃｅ）ディスプレイであるが、これらに限定されるものではない。
【００２６】
作業メモリ１６は、本実施形態でいう発信履歴データ記憶手段、着信履歴データ記憶手段及びデータ記憶手段であって、揮発性のメモリから構成される。作業メモリ１６は、携帯電話機２からユーザが何ら操作することなく自動転送された発信履歴データ、着信履歴データ、不在着信履歴データ及び電話帳データを記憶する。この場合、作業メモリ１６は、これら発信履歴データや着信履歴データや不在着信履歴データをそれぞれ例えば５件分を記憶可能である。作業メモリ１６は、例えばＲＡＭ（Ｒａｎｄｏｍ  Ａｃｃｅｓｓ  Ｍｅｍｏｒｙ）等である。
【００２７】
記憶メモリ１７は、不揮発性のメモリから構成され、各種データを記憶する。記憶メモリ１７は、例えばＲＯＭ（Ｒｅａｄ  Ｏｎｌｙ  Ｍｅｍｏｒｙ）である。また、記憶メモリ１７は、ＨＤＤ（Ｈａｒｄ  Ｄｉｓｋ  Ｄｒｉｖｅ）、またはフラッシュメモリ等の書き込み可能な記憶媒体であっても良い。
【００２８】
制御部１２は、ユーザが発信履歴データの表示要求を操作部１４にて行うと、作業メモリ１６に記憶されている発信履歴データを表示部１５に表示させ、ユーザが着信履歴データの表示要求を操作部１４にて行うと、作業メモリ１６に記憶されている着信履歴データを表示部１５に表示させ、ユーザが電話帳データの表示要求を操作部１４にて行うと、作業メモリ１６に記憶されている電話帳データを表示部１５に表示させる。尚、本実施形態のハンズフリー装置１では、上記したように作業メモリ１６に記憶される発信履歴データ及び着信履歴データはそれぞれ５件であり、表示部１５に表示される最大表示件数もそれぞれ５件とする。なお、作業メモリ１６に記憶されるこれらのデータの件数は一例であり、上述の例に限定されるものではない。
【００２９】
マイクロホン１８は、音声を入力する音声入力手段であって、携帯電話機２を用いたハンズフリー通話を行うときに、ユーザが発した音声を入力する。スピーカ１９は、音声出力手段であって、携帯電話機２を用いたハンズフリー通話を行うときに、通話相手の受話音声を出力する。すなわち、Ｂｌｕｅｔｏｏｔｈ通信部１３と携帯電話機２との間でＢｌｕｅｔｏｏｔｈ通信回線を確立してＨＦＰでの無線通信を接続すると、制御部１２は、マイクロホン１８が入力した音声をＢｌｕｅｔｏｏｔｈ通信部１３から携帯電話機２に送信させて携帯電話機２から携帯電話網に送信させると共に、携帯電話機２が携帯電話網から受信した音声を携帯電話機２からＢｌｕｅｔｏｏｔｈ通信部１３に受信させてスピーカ１９から出力させる。
【００３０】
尚、上記したハンズフリー装置１は、図示した機能ブロックの他に、自車両の現在位置を検出する現在位置検出部としてのＧＰＳ装置、現在位置から目的地までの経路を探索する経路探索部、地図データが記録されている記録媒体から地図データを読取る地図データ読取部、ＶＩＣＳ（登録商標）センターから配信されたＶＩＣＳ情報を受信するＶＩＣＳ情報受信部、ユーザが発した音声を音声認識する音声認識部などのナビゲーション動作に必要な機能ブロックをも備えて構成されていても良い。この場合、ハンズフリー装置１は、ＧＰＳ衛星からＧＰＳ装置が受信したＧＰＳ無線信号からＧＰＳ日時情報を抽出して日時を取得し、その取得した日時を発信日時や着信日時として利用しても良い。
【００３１】
上記したハンズフリー装置１は、ＡＣＣスイッチ（車両機器への電源供給をオンオフするスイッチ）のオンオフに連動して起動・停止するように構成されている。ハンズフリー装置１は、例えばユーザが操作したことに応じてＡＣＣスイッチがオンからオフに切替わると、電源供給が停止され、この結果、装置電源がオンからオフに移行する。この場合、その直前に記憶メモリ１７に記憶されている各種データは消去されないが（記憶保持されるが）、その直前に作業メモリ１６に記憶されている発信履歴データ、着信履歴データ、不在着信履歴データ及び電話帳データは消去されるように構成されている。
【００３２】
次に、本実施形態のハンズフリー装置１の機能の詳細について説明する。図３は、本実施形態に係るハンズフリー装置１が備える機能の一例を示す図である。図３に示すように、本実施形態のハンズフリー装置１は、受付部１０１、ハンズフリー通話接続部１０２、データ転送制御部１０３、ハンズフリー通話実行部１０４、及び表示制御部１０５を備える。
【００３３】
受付部１０１、ハンズフリー通話接続部１０２、データ転送制御部１０３、ハンズフリー通話実行部１０４、及び表示制御部１０５は、制御部１２が記憶メモリ１７からプログラムを読み出して実行することにより、実現される。なお、図３に示す機能は一例であり、ハンズフリー装置１の制御部１２はさらに他の機能を実現しても良い。
【００３４】
受付部１０１は、ユーザから各種の操作を受け付ける。例えば、受付部１０１は、ユーザが操作部１４を操作した場合に、操作部１４を介して、ユーザの操作を受け付ける。
【００３５】
ハンズフリー通話接続部１０２は、ＨＦＰに準じて、携帯電話機２とハンズフリー通話可能に接続する。より詳細には、ハンズフリー通話接続部１０２は、Ｂｌｕｅｔｏｏｔｈ通信部１３を制御することにより、携帯電話機２とハンズフリー通話可能に接続する。
【００３６】
また、ハンズフリー通話接続部１０２は、後述のデータ転送制御部１０３による携帯電話機２から履歴データ及び電話帳データを転送するための同期処理が成功しなかった場合にも、携帯電話機２との間で、ハンズフリー通話可能な接続を維持する。
【００３７】
データ転送制御部１０３は、携帯電話機２に記憶されている発信履歴データ、着信履歴データ、不在着信履歴データ及び電話帳データのうち少なくともいずれか１つを、ＰＢＡＰに準じた通信プロトコルによって携帯電話機２から受信する。本実施形態においては、データ転送制御部１０３は、発信履歴データ、着信履歴データ、不在着信履歴データ及び電話帳データの全てを、携帯電話機２から受信するものとする。
【００３８】
データ転送制御部１０３は、携帯電話機２から受信した発信履歴データ、着信履歴データ、不在着信履歴データ及び電話帳データを、作業メモリ１６に保存する。なお、記憶メモリ１７がＨＤＤまたはフラッシュメモリ等の書き込み可能な記憶媒体である場合、データ転送制御部１０３は、携帯電話機２から受信した発信履歴データ、着信履歴データ、不在着信履歴データ及び電話帳データを記憶メモリ１７に保存しても良い。
【００３９】
また、データ転送制御部１０３は、携帯電話機２から履歴データまたは電話帳データを受信する前に、携帯電話機２において履歴データまたは電話帳データの転送が許可されているか否かを確認する同期許可確認処理を実行する。
【００４０】
履歴データ及び電話帳データはユーザの個人情報を含むため、携帯電話機２側でこれらのデータをハンズフリー装置１に転送することの許可設定が、Ｂｌｕｅｔｏｏｔｈの接続の許可設定とは別に存在する。このため、携帯電話機２とハンズフリー装置１とがＢｌｕｅｔｏｏｔｈ接続している場合であっても、携帯電話機２側で許可設定がされていなければ、携帯電話機２からハンズフリー装置１にＰＢＡＰによる履歴データ及び電話帳データの転送ができない。このため、データ転送制御部１０３は、携帯電話機２に対して、履歴データ及び電話帳データをハンズフリー装置１に同期することを許可されているかを確認する。
【００４１】
データ転送制御部１０３は、携帯電話機２において履歴データまたは電話帳データの転送が許可されていない場合、表示制御部１０５に、履歴データまたは電話帳データの転送が許可されていないことを通知する。
【００４２】
ハンズフリー通話実行部１０４は、ハンズフリー通話接続部１０２によってＨＦＰ接続された携帯電話機２が電話を着信した場合、ハンズフリー通話を実行する。例えば、ハンズフリー通話実行部１０４は、携帯電話機２が着信した通話相手の受話音声をＢｌｕｅｔｏｏｔｈ通信部１３を介して受信し、該受話音声をスピーカ１９から出力させる。また、ハンズフリー通話実行部１０４は、ハンズフリー装置１のユーザがマイクロホン１８に入力した音声を、Ｂｌｕｅｔｏｏｔｈ通信部１３から携帯電話機２に送信させて携帯電話機２から携帯電話網に送信させる。
【００４３】
表示制御部１０５は、表示部１５に各種の画面を表示させる。例えば、表示制御部１０５は、ユーザが電話番号を入力する表示画面としてダイアルキーが配列された表示画面を表示部１５に表示させる。また、表示制御部１０５は、受付部１０１によって受け付けられたユーザの操作に従って、発信履歴データ、着信履歴データ、または電話帳データを表示部１５に表示させる。
【００４４】
また、表示制御部１０５は、携帯電話機２から履歴データまたは電話帳データを転送するための同期処理が成功しなかった場合には、携帯電話機２において履歴データまたは電話帳データを転送するための同期処理が許可されていない可能性があることを、表示部１５に表示させることにより、ユーザに報知する。
【００４５】
また、表示制御部１０５は、ユーザによる履歴データまたは電話帳データを手動転送する操作を受け付け不可であることを報知する。これは、携帯電話機２において履歴データまたは電話帳データの転送が許可されていない場合、自動的に実行される履歴データまたは電話帳データの転送だけではなく、ユーザの操作によって手動で開始される履歴データまたは電話帳データの転送も不可であるためである。
【００４６】
例えば、表示制御部１０５は、ユーザによる手動転送の操作を受け付ける操作ボタンの表示態様を変更する、または操作ボタンを非表示にすることより、ユーザによる履歴データまたは電話帳データを手動転送する操作を受け付け不可であることの報知を実行する。操作ボタンは、例えば、表示部１５上に表示されたボタン画像である。また、表示態様の変更とは、例えば、ボタン画像をグレーアウト等の非アクティブ表示にすることである。
【００４７】
携帯電話機２において履歴データまたは電話帳データを転送するための同期処理が許可されていない可能性があることを報知すること、及び、ユーザによる履歴データまたは電話帳データを手動転送する操作を受け付け不可であることを報知することは、本実施形態における第１の処理の一例である。なお、表示制御部１０５は、携帯電話機２において履歴データまたは電話帳データを転送するための同期処理が許可されていない可能性があることと、ユーザによる履歴データまたは電話帳データを手動転送する操作を受け付け不可であること、の両方を報知しても良いし、いずれか一方を報知しても良い。
【００４８】
次に、上記した構成の作用について説明する。尚、本実施形態では、携帯電話機２は、最大記憶可能件数である２０件分の発信履歴データ、最大記憶可能件数である２０件分の着信履歴データ、最大記憶可能件数である２０件分の不在着信履歴データを既に保持（記憶）しており、この状態で、携帯電話機２を携帯するユーザが車両３に近づいて車内に乗り込み、上記ＡＣＣスイッチがオンされることで、携帯電話機２がハンズフリー装置１のＢｌｕｅｔｏｏｔｈ通信圏内に進入したことを前提として説明する。
【００４９】
最初に、ハンズフリー装置１において、制御部１２が携帯電話機２から発信履歴データ、着信履歴データ、不在着信履歴データ、及び電話帳データを受信する手順について説明する。尚、ユーザは、ハンズフリー装置１にて、Ｂｌｕｅｔｏｏｔｈ通信の相手となる携帯電話機２を予め登録している。
【００５０】
例えば、ユーザは、初期通信設定時に、携帯電話機２毎に４桁のパスワードをハンズフリー装置１に入力する。ハンズフリー装置１と携帯電話機２は、互いの接続に使用するリンクキーを生成し、該リンクキーを保持する。そして、ハンズフリー装置１は、初期接続時にリンクキーの認証を行うことで、通信接続すべき携帯電話機２を選択している。つまり、ハンズフリー装置１と、未登録の携帯電話機との間では、ＨＦＰでの通信接続及びＰＢＡＰでの通信接続が行われることは無い。基本的に、車両３の所有者の携帯電話機２が事前登録され、該携帯電話機２とハンズフリー装置１との間でＢｌｕｅｔｏｏｔｈ通信が行われることとなる。なお、ハンズフリー装置１の通信対象の携帯電話機２の事前登録について、上述の手法は一例であり、これに限定されるものではない。
【００５１】
本例では、ハンズフリー装置１には、通信接続対象となる複数の携帯電話機２が登録されているものとする。また、複数の携帯電話機２に対して例えばユーザが操作部１４を操作して優先順位を予め設定しており、作業メモリ１６または記憶メモリ１７は当該優先順位を記憶している。例えば、ドライバーによっては、複数の携帯電話機２を所有している場合があるため、ハンズフリー装置１には、このように複数の携帯電話機２の登録を可能とする。
【００５２】
図４は、本実施形態に係るデータ転送処理の流れの一例を示す図である。より詳細には、このフローチャートの処理は、ハンズフリー装置１が携帯電話機２と接続する際に実行される初期データ転送処理である。
【００５３】
まず、ハンズフリー通話接続部１０２は、優先順位が上位の携帯電話機２をＨＦＰでの無線通信での通信接続対象として選択する（Ｓ１）。ここで、本例では、最初にＰＢＡＰでの通信接続を行わずに、先ずはＨＦＰでの初期通信を自動的に試み、接続を開始する。
【００５４】
次に、ハンズフリー通話接続部１０２は、その選択した携帯電話機２に対してＨＦＰでの初期通信を自動的に接続する処理を実行する（Ｓ２）。また、ハンズフリー通話接続部１０２は、ＨＦＰでの無線通信接続に成功したか否かを判定する（Ｓ３）。
【００５５】
ハンズフリー通話接続部１０２がＨＦＰでの無線通信接続に成功したと判定した場合（Ｓ３“ＹＥＳ”）、データ転送制御部１０３は、携帯電話機２とのＰＢＡＰ接続を開始する（Ｓ４）。
【００５６】
ここで、データ転送制御部１０３は、携帯電話機２に、携帯電話機２において履歴データまたは電話帳データの転送が許可されているか否かを確認する同期許可確認処理を実行する（Ｓ５）。
【００５７】
携帯電話機２において履歴データまたは電話帳データの転送が許可されていない場合（Ｓ５“不許可”）、ＰＢＡＰ接続は失敗となる（Ｓ６）。この場合、表示制御部１０５は、携帯電話機２において履歴データまたは電話帳データを転送するための同期処理が許可されていない可能性があることを、表示部１５に表示させる。
【００５８】
図５は、本実施形態に係る報知画面１５１の一例を示す図である。携帯電話機２において履歴データまたは電話帳データを転送するための同期処理が許可されていない可能性があることを報知する報知画面１５１は、例えば、待ち受け画面に重畳して表示されても良い。図５に示すように、報知画面１５１は、「連絡先データを転送できませんでした  接続先の機器で同期を許可していない可能性があります」等のメッセージＭ１を含む。また、ユーザがＯＫボタン１５１１を押下した場合、表示制御部１０５は、報知画面１５１の表示を終了する。
【００５９】
なお、本実施形態においては、表示による報知を採用しているが、報知の手法はこれに限定されるものではない。例えば、ハンズフリー装置１は、不図示の音声制御部をさらに備え、携帯電話機２において履歴データまたは電話帳データの転送が許可されていない場合、該音声制御部が、携帯電話機２において履歴データまたは電話帳データを転送するための同期処理が許可されていない可能性があることを報知する音声メッセージを、スピーカ１９から出力させることによって報知しても良い。
【００６０】
図４のフローチャートに戻り、表示制御部１０５は、ユーザによる履歴データまたは電話帳データを手動転送する操作を受け付け不可であることを報知する。例えば、表示制御部１０５は、ユーザによる手動転送の操作を受け付ける操作ボタン、つまり手動転送ボタンを非アクティブ表示にする（Ｓ８）。
【００６１】
図６は、本実施形態に係るハンズフリー通話の待ち受け画面の一例を示す図である。表示部１５に表示された待ち受け画面において、「電話帳」と記載された「電話帳ボタン」４ｄが、電話帳データの手動転送する操作を受け付ける手動転送ボタンである。また、「履歴」と記載された「履歴ボタン」４ａは、履歴データの手動転送する操作を受け付ける手動転送ボタンである。
【００６２】
図６の上方に示す例では、手動転送ボタンはアクティブ表示である。また、図６の下方に示す例では、手動転送ボタンは非アクティブ表示である。
【００６３】
なお、図６に示す例では、「電話帳ボタン」４ｄ及び「履歴ボタン」４ａは、電話帳データを表示部１５に表示させたり、履歴データを表示部１５に表示させたりするための口述の操作を行うための操作ボタンの機能を兼ねているが、これらのデータを表示させる操作ボタンと、手動転送ボタンとは、別個のボタンとして設けられても良い。
【００６４】
図４のフローチャートに戻り、データ転送制御部１０３は、ユーザによって、再度、ＰＢＡＰ接続処理を実施する指示が入力されたか否かを判定する（Ｓ９）。例えば、図６に示す待ち受け画面において「同期」と記載された「同期ボタン」４ｆが、再度、ＰＢＡＰ接続処理を実施するユーザの操作を受け付ける操作ボタンであるものとする。
【００６５】
例えば、ユーザは、Ｓ７において、図５で説明した報知画面１５１が表示されたことを視認し、ＯＫボタン１５１１を押下して報知画面１５１を閉じる。そして、携帯電話機２を操作して、ハンズフリー装置１との間におけるＰＢＡＰの同期を許可するように、設定を変更する。当該設定の変更により、履歴データ及び電話帳データはユーザの個人情報を含むため、携帯電話機２側でこれらのデータをハンズフリー装置１に転送することが許可される。そして、ユーザは、携帯電話機２の設定の変更をした後、ハンズフリー装置１の表示部１５に表示された「同期ボタン」４ｆを押下する。
【００６６】
「同期ボタン」４ｆが押下されたことを受付部１０１が受け付けた場合、受付部１０１は、データ転送制御部１０３に「同期ボタン」４ｆが押下されたことを通知する。この場合、データ転送制御部１０３は、再度、ＰＢＡＰ接続処理を実施する指示が入力されたと判定する（Ｓ９“Ｙｅｓ”）。この場合、Ｓ４の処理に戻り、ＰＢＡＰ接続処理が開始される。
【００６７】
本実施形態においては、携帯電話機２において、ＰＢＡＰによる履歴データまたは電話帳データのハンズフリー装置１への同期が許可されていない設定から、許可される設定に、ユーザによって変更された場合、ハンズフリー装置１がＰＡＢＰ接続処理から処理を再度実行するため、Ｂｌｕｅｔｏｏｔｈの接続の段階からやり直しをしなくとも良い。
【００６８】
また、データ転送制御部１０３は、再度、ＰＢＡＰ接続処理を実施する指示が入力されなかったと判定した場合（Ｓ９“Ｎｏ”）、ＰＢＡＰによる履歴データまたは電話帳データの転送処理を実行せず、ＨＦＰによるハンズフリー通話が可能なハンズフリー（ＨＰ）待ち受け状態に遷移する。
【００６９】
例えば、Ｓ７で報知画面１５１が表示されてから、所定の時間以上「同期ボタン」４ｆが押下されなかった場合、換言すれば、タイムアウトした場合、データ転送制御部１０３は、再度、ＰＢＡＰ接続処理を実施する指示が入力されなかったと判定する。また、ＰＢＡＰ接続処理を再実施しないことを、ユーザが明示的に入力可能であっても良い。
【００７０】
ＰＢＡＰによる履歴データ及び電話帳データの転送処理が実行されずにハンズフリー待ち受け状態となった場合、ハンズフリー装置１側に履歴データ及び電話帳データが同期されないため、ユーザは、携帯電話機２の過去の発着信の履歴や、電話帳の登録名をハンズフリー装置１から照会することはできないが、これ以降携帯電話機２が発着信する電話をハンズフリー通話にすることはできる。例えば、車両３がレンタカー等である場合に、ユーザが自身の携帯電話機２の履歴データ及び電話帳データをハンズフリー装置１に同期したくない場合は、この状態でハンズフリー装置１を使用しても良い。
【００７１】
また、Ｓ５の処理で、携帯電話機２において履歴データまたは電話帳データの転送が許可されている場合（Ｓ５“許可”）、ＰＢＡＰ接続は成功となる（Ｓ１０）。この場合、データ転送制御部１０３は、携帯電話機２に対して、発信履歴データ、着信履歴データ及び不在着信履歴データの転送処理を開始するように、履歴データ転送要求を送信する（Ｓ１１）。
【００７２】
履歴データ転送要求を受けた携帯電話機２は、ＰＢＡＰに準じたＢｌｕｅｔｏｏｔｈ通信によって、発信履歴データ、着信履歴データ及び不在着信履歴データをハンズフリー装置１に転送する。データ転送制御部１０３は、携帯電話機２から転送された発信履歴データ、着信履歴データ及び不在着信履歴データを作業メモリ１６または記憶メモリ１７に保存する。
【００７３】
データ転送制御部１０３は、履歴データの転送処理が終了すると、次に、携帯電話機２に対して、電話帳データの転送処理を開始するように、電話帳データ転送要求を送信する（Ｓ１２）。
【００７４】
なお、Ｓ１１及びＳ１２では、自動的に履歴データまたは電話帳データを携帯電話機２からハンズフリー装置１に転送するものとして説明したが、携帯電話機２またはハンズフリー装置１においてユーザが手動転送あるいは自動転送を選択して設定しておき、この設定に応じてデータ転送制御部１０３が転送処理を行うようにしても良い。自動転送をしないように設定されている場合、図４のＳ１１及びＳ１２の処理はスキップされ、その後、ユーザによる任意のタイミングで、履歴データまたは電話帳データの転送処理が実行されても良い。また、履歴データと電話帳データの自動転送を行うか否かは、データごとに個別に設定されても良いし、一括で設定されても良い。
【００７５】
また、表示制御部１０５は、手動転送ボタンをアクティブ表示する（Ｓ１３）。なお、初期表示において手動転送ボタンがアクティブ表示されている場合は、表示制御部１０５は、このタイミングで特に表示を変更しなくとも良い。
【００７６】
そして、ハンズフリー通話接続部１０２は、携帯電話機２とのＨＦＰによる無線通信が確立すると、ハンズフリー（ＨＦ）待受処理に移行する。ハンズフリー待受処理の実行中は、ハンズフリー装置１は、携帯電話機２を介した電話の発信または受信が可能な状態となる。ハンズフリー装置１の電源が切断される、または携帯電話機２とのＨＦＰによる無線通信が解除されるまで、ハンズフリー待受処理は継続する。携帯電話機２とのＨＦＰによる無線通信が解除される場合とは、ユーザによってハンズフリー装置１または携帯電話機２に対して接続解除の操作が行われた場合、または、携帯電話機２がハンズフリー装置１のＢｌｕｅｔｏｏｔｈ通信圏内から退出した場合等である。
【００７７】
また、ハンズフリー通話接続部１０２は、ＨＦＰでの無線通信接続に成功しなかった（失敗した）旨を判定すると（Ｓ３“Ｎｏ”）、優先順位が次位の携帯電話機２が存在するか否かを判定する（Ｓ１４）。
【００７８】
ハンズフリー通話接続部１０２は、優先順位が次位の携帯電話機２が存在する旨を判定した場合（Ｓ１４“Ｙｅｓ”）、優先順位が次位の携帯電話機２を無線通信の接続対象として選択し（Ｓ１５）、上記したＳ２に戻り、上記した処理を繰返して行う。
【００７９】
また、ハンズフリー通話接続部１０２は、優先順位が次位の携帯電話機２が存在しない旨を判定した場合（Ｓ１５“Ｎｏ”）、このフローチャートの処理を終了する。
【００８０】
なお、図４で説明した処理の流れでは、ハンズフリー装置１のＢｌｕｅｔｏｏｔｈ通信部１３は、ＨＦＰでの無線通信、及びＰＢＡＰでの無線通信を同時接続（マルチプロファイル接続）しているが、これらの無線通信を同時接続せずに、シリアルに接続しても良い。
【００８１】
また、図４等で上記した発信履歴データ、着信履歴データ及び不在着信履歴データの転送処理について、さらに具体的に説明する。
【００８２】
図７は、本実施形態に係る発信履歴データと電話帳データの対応関係の一例を示す図である。より詳細には、図７（ａ）は、携帯電話機２に保存された発信履歴データの一例である。また、図７（ｂ）は、携帯電話機２に保存された電話帳データの一例である。また、図７（ｃ）は、ハンズフリー装置１において保存または表示される発信履歴データの一例である。
【００８３】
また、図８は、本実施形態に係る着信履歴データと電話帳データの対応関係の一例を示す図である。より詳細には、図８（ａ）は、携帯電話機２に保存された着信履歴データの一例である。また、図８（ｂ）は、携帯電話機２に保存された電話帳データの一例である。また、図８（ｃ）は、ハンズフリー装置１において保存または表示される着信履歴データの一例である。
【００８４】
また、図９は、本実施形態に係る不在着信履歴データと電話帳データの対応関係の一例を示す図である。より詳細には、図９（ａ）は、携帯電話機２に保存された不在着信履歴データの一例である。また、図９（ｂ）は、携帯電話機２に保存された電話帳データの一例である。また、図９（ｃ）は、ハンズフリー装置１において保存または表示される不在着信履歴データの一例である。
【００８５】
データ転送制御部１０３は、携帯電話機２から、図７（ａ）に示す登録名、発信電話番号及び発信日時からなる発信履歴データを受信して作業メモリ１６または記憶メモリ１７に記憶させる。
【００８６】
また、データ転送制御部１０３は、携帯電話機２から図８（ａ）に示す登録名、着信電話番号及び着信日時からなる着信履歴データを受信して作業メモリ１６または記憶メモリ１７に記憶させる。
【００８７】
また、データ転送制御部１０３は、携帯電話機２から図９（ａ）に示す登録名、不在着信電話番号及び不在着信日時からなる不在着信履歴データを受信して作業メモリ１６または記憶メモリ１７に記憶させる。
【００８８】
また、携帯電話機２において着信履歴データ、発信履歴データ、及び不在着信履歴データに登録名が含まれない場合、データ転送制御部１０３は、着信履歴データ、発信履歴データ、及び不在着信履歴データに含まれる電話番号と、電話帳データにおいて該電話番号に対応付けられた登録名とを対応付けることにより、着信履歴データ、発信履歴データ、及び不在着信履歴データに登録名を追加して、作業メモリ１６または記憶メモリ１７に記憶させても良い。そして、表示制御部１０５は、発信履歴データ、着信履歴データ及び不在着信履歴データの表示要求があると、作業メモリ１６または記憶メモリ１７に記憶されている発信履歴データ、着信履歴データ及び不在着信履歴データを表示部１５に表示させる。つまり、表示制御部１０５は、作業メモリ１６または記憶メモリ１７に記憶されている電話帳データから登録名を読出すことなく、携帯電話機２から転送された登録名を表示部１５に表示させることができる。
【００８９】
なお、着信履歴データ、発信履歴データ、及び不在着信履歴データは、登録名を含まない状態で作業メモリ１６または記憶メモリ１７に保存されても良い。この場合、表示制御部１０５は、着信履歴データ、発信履歴データ、及び不在着信履歴データに含まれる電話番号と、電話帳データにおいて該電話番号に対応付けられた登録名とを対応付けて表示部１５に表示する。
【００９０】
図４で説明したＨＦＰの接続処理をハンズフリー通話接続部１０２が完了すると、ユーザがハンズフリー装置１側の操作部１４を操作することにより、電話の発信処理及び着信処理を行うことが可能となる。
【００９１】
また、データ転送制御部１０３が、図４で説明した携帯電話機２との初期接続処理によって携帯電話機２から発信履歴データ、着信履歴データ及び不在着信履歴データを受信した後、ハンズフリー装置１または携帯電話機２において新たな発信処理、新たな着信処理または新たな不在着信処理が実行される場合がある。その後、ユーザが操作部１４を操作して発信履歴データ、着信履歴データまたは不在着信履歴データの表示要求をした場合、表示制御部１０５は、新たな発信処理、着信処理または不在着信処理を行った発信電話番号、着信電話番号及び不在着信電話番号に対応する登録名が、携帯電話機２から転送された電話帳データに存在する場合には、図７（ｃ）、図８（ｃ）、図９（ｃ）に示すように、該登録名を表示部１５に表示させる。
【００９２】
より詳細には、ハンズフリー通話接続部１０２が新たな発信処理として、「加藤  一郎」の電話番号へ発信処理したとする。この場合、表示制御部１０５は、電話帳データに「加藤  一郎」の登録名が登録されている場合は、図７（ｃ）に示すように電話帳データから「加藤  一郎」の登録名を読出して表示部１５に表示させる。また、新たな着信処理として、「吉本  一郎」の電話番号から電話があった場合、表示制御部１０５は、この着信電話番号が電話帳データに登録されている場合は、図８（ｃ）に示すように、電話帳データから「吉本  一郎」の登録名を読出して表示部１５に表示させる。また、表示制御部１０５は、「渡邊  三郎」の電話番号から新たな不在着信があった場合は、図９（ｃ）に示すように、電話帳データから「渡邊  三郎」の登録名を読出して表示部１５に表示させる。
【００９３】
また、表示制御部１０５は、発信履歴データ、着信履歴データ及び不在着信履歴データを纏めて最新の時刻順にしたがって表示する全履歴データの表示要求があると、着信履歴データ及び不在着信履歴データについては着信電話番号或いは不在着信電話番号が同一である（重複している）か否かに拘らず着信日時或いは不在着信日時が新しい方の着信履歴データ及び不在着信履歴データを全ての中から所定数選択して表示させる。また、表示制御部１０５は、発信履歴データについては発信電話番号が同一である（重複している）発信履歴データのうち最新の発信履歴データのみを選択して表示させる。
【００９４】
図１０は、本実施形態に係る発信履歴データ、着信履歴データ、不在着信履歴データ及び全履歴データの一例を示す図である。図１０に示す例では「阿部  太郎」の発信電話番号が重複している。この場合、表示制御部１０５は、「阿部  太郎」の発信履歴のうち、発信日時が最新の発信履歴（発信日時が０８月１０日１２：１５の発信履歴データ）のみを表示させ、発信日時が最新ではない発信履歴は表示させない。
【００９５】
次に、ハンズフリー装置１において、制御部１２が携帯電話機２から発信履歴データ、着信履歴データ、不在着信履歴データ及び電話帳データを受信及び記憶する手順、及び、記憶された発信履歴データ、着信履歴データ及び不在着信履歴データを用いて発信する手順について説明する。尚、ここでは、発信履歴データ及び着信履歴データについて説明するが、不在着信履歴データも同様である。
【００９６】
図１１及び図１２は、本実施形態のハンズフリー装置１で実行される発信履歴データ及び着信履歴データ及び電話帳データを使用して電話を発信する処理の流れの一例を示す図である。なお、図１１及び図１２で制御部１２によって実行される処理は、例えば、図３で説明した受付部１０１、ハンズフリー通話接続部１０２、データ転送制御部１０３、ハンズフリー通話実行部１０４、または表示制御部１０５によって実現される処理である。
【００９７】
ここで、図１１、図１２の中で説明する図１３は、本実施形態に係る発信履歴データの一例を示す図である。また、図１４は、本実施形態に係る着信履歴データの一例を示す図である。また、図１５は、本実施形態に係る発信履歴からユーザが発信操作を行う場合の表示画面の遷移の一例を示す図である。また、図１６は、本実施形態に係る着信履歴からユーザが発信操作を行う場合の表示画面の遷移の一例を示す図である。また、図１７は、本実施形態に係る電話帳からユーザが発信操作を行う場合の表示画面の遷移の一例を示す図である。図１８は、本実施形態に係る電話帳データの一例を示す図である。
【００９８】
図１１のフローチャートに戻り、まず、ハンズフリー装置１の制御部１２は、携帯電話機２がハンズフリー装置１のＢｌｕｅｔｏｏｔｈ通信圏内に存在しており、Ｂｌｕｅｔｏｏｔｈ通信部１３が携帯電話機２との間で通信回線を確立した旨を判定すると（Ｓ１２１“Ｙｅｓ”）、携帯電話機２から発信履歴データ、着信履歴データ及び電話帳データがＢｌｕｅｔｏｏｔｈ通信部１３に自動転送されることを待機する（Ｓ１２２）。
【００９９】
そして、制御部１２は、携帯電話機２から発信履歴データ、着信履歴データ及び電話帳データが自動転送された旨を判定すると（Ｓ１２２“Ｙｅｓ”）、その携帯電話機２から自動転送された発信履歴データ、着信履歴データ及び電話帳データを作業メモリ１６または記憶メモリ１７に記憶させる（Ｓ１２３）。
【０１００】
ここで、携帯電話機２から自動転送された発信履歴データや着信履歴データの件数がそれぞれ例えば２０件であるとする。また、作業メモリ１６に記憶可能な発信履歴データや着信履歴データの件数がそれぞれ例えば５件であるとする。つまり、作業メモリ１６に記憶可能な発信履歴データや着信履歴データの件数が、携帯電話機２から自動転送された発信履歴データや着信履歴データの件数よりも少ない。
【０１０１】
この場合、制御部１２は、例えば、携帯電話機２から自動転送された発信履歴データのうち発信日時が古い発信履歴データを破棄し、携帯電話機２から自動転送された２０件分の発信履歴データのうち発信日時が新しい５件分の発信履歴データを優先して作業メモリ１６に携帯側発信履歴データとして記憶させる。また、制御部１２は、着信履歴データのうち着信日時が古い着信履歴データを破棄し、携帯電話機２から自動転送された２０件分の着信履歴データのうち着信日時が新しい５件分の着信履歴データを優先して作業メモリ１６に携帯側着信履歴データとして記憶させる。
【０１０２】
制御部１２は、携帯電話機２から発信履歴データが自動転送された直後では、作業メモリ１６の発信履歴データとして、図１３（ａ）に示す発信履歴データを保持する。また、この状態からユーザが発信履歴データを表示させる操作を行うと、制御部１２は、図１５（ｂ）に示す表示画面を表示部１５に表示させる。また、制御部１２は、携帯電話機２から着信履歴データが自動転送された直後では、作業メモリ１６の着信履歴データとして、図１４（ａ）に示す着信履歴データを保持し、この状態からユーザが着信履歴データを表示させる操作を行うと、図１６（ｂ）に示す表示画面を表示部１５に表示させる。
【０１０３】
このようにして、携帯電話機２とハンズフリー装置１とがＢｌｕｅｔｏｏｔｈ通信回線を確立すると、携帯電話機２がＢｌｕｅｔｏｏｔｈ通信回線を確立する前に記憶しておいた発信履歴データや着信履歴データがハンズフリー装置１の作業メモリ１６に自動転送され、携帯電話機２とハンズフリー装置１とが１つの電話システムを構成することになり、この電話システムによりハンズフリー通話を行うことが可能となる。そして、ユーザは、このようにして携帯電話機２とハンズフリー装置１とが１つの電話システムを構成した以降では、ダイアルキー入力による発信操作、発信履歴による発信操作、着信履歴による発信操作及び電話帳による発信操作のいずれかを選択して発信操作を行なうことが可能となり、携帯電話網からの着信を待機することが可能となる。
【０１０４】
ここで、図４のフローチャートでは、Ｂｌｕｅｔｏｏｔｈ通信の手順として、ＨＦＰとＰＢＡＰの同時接続を行ったが、ＰＢＡＰでの無線通信接続をした後、ＰＢＡＰでの無線通信を切断し、その後にＨＦＰでの無線通信接続を行う、というシリアルなプロファイル切り替えを行っても良い。このようなシリアルな接続をする場合、ＰＢＡＰでのデータ転送後にＨＦＰで無線通信接続した後において、携帯電話機２に対して新たな着信があった場合、もしくは操作部１４にて新たな発信処理が行われた場合、携帯電話機２には、その着信及び発信を含む着信履歴データ、発信履歴データは、結局、自己の履歴データであるため、自身のメモリに保持している。従って、ハンズフリー装置１の制御部１２は、再度、携帯電話機２から、これら最新の発着信履歴データを取得するために、ＨＦＰでの無線通信中にＰＢＡＰでの無線通信（同時接続）を行うことも可能である。
【０１０５】
しかしながら、仮に、同時接続をできる限り避ける場合、シリアル接続において、ＨＦＰでの無線通信接続を切断し、ＰＢＡＰでの無線通信接続を行うと、その間、ハンズフリー通話を行うために１つの電話システムを構成している、携帯電話機２とハンズフリー装置１とが実質、分離された状態となり、ハンズフリー通話が行えなくなる状態が発生する。そこで、ＨＦＰでの無線通信接続を行った場合、それ以降もＨＦＰでの無線通信接続のみで、最新の発着信履歴データをハンズフリー装置１で自己取得し、自己管理するようにしてもよい。以下、これについて説明する。
【０１０６】
図１１のフローチャートに戻り、制御部１２は、ユーザがダイアルキー入力による発信操作を行ったか否かを判定し（Ｓ１２４）、ユーザが発信履歴による発信操作を行ったか否かを判定する（Ｓ１２５）。ここで、図１２のフローチャートに続き、制御部１２は、ユーザが着信履歴による発信操作を行ったか否かを判定し（Ｓ１２６）、ユーザが電話帳による発信操作を行ったか否かを判定し（Ｓ１２７）、携帯電話網から着信したか否かを判定する（Ｓ１２８）。
【０１０７】
ここで、制御部１２は、ユーザがダイアルキー入力による発信操作を行った旨を判定すると（Ｓ１２４“ＹＥＳ”）、ユーザがダイアルキーにより入力した電話番号を発信電話番号として発信する発信処理を行う（Ｓ１２９）。そして、制御部１２は、ダイアルキー入力による発信処理を終了すると、図１３（ｂ）に示すように、その時点で作業メモリ１６に記憶されている発信履歴データのうち発信日時が最古の発信履歴データを消去し（Ｓ１３０）、そのダイアルキー入力による発信を表す自装置の最新の発信履歴データを作業メモリ１６に自己発信履歴データとして追加記憶させる（Ｓ１３１）。
【０１０８】
すなわち、制御部１２は、ユーザがダイアルキーを操作して例えば電話番号「０９００００００１００」を入力し、当該電話番号「０９００００００１００」を発信電話番号として発信する操作を行うと、図１３（ｂ）に示すように、電話番号「０９００００００１００」を表す発信履歴データを作業メモリ１６に自己発信履歴データとして追加記憶させる。この場合、制御部１２は、電話番号「０９００００００１００」に対応する発信日時としてハンズフリー装置１のＧＰＳ装置が取得した日時をタイムスタンプとして記憶させる。つまり、図１３（ｂ）では、最新の電話番号「０９００００００１００」の発信日時はハンズフリー装置１のＧＰＳ装置が取得した日時であり、残りの４件の電話番号の発信日時は携帯電話機２の時計部が取得した日時である。尚、制御部１２は、この状態からユーザが発信履歴データを表示させる操作を行うと、図１５（ｃ）に示す表示画面を表示部１５に表示させる。
【０１０９】
また、制御部１２は、ユーザが「履歴ボタン」４ａを押下し、続いて「発信履歴ボタン」４ｂを押下したことにより、発信履歴による発信操作を行った旨を判定すると（Ｓ１２５“ＹＥＳ”）、作業メモリ１６に記憶されている発信履歴データを参照し（Ｓ１３２）、作業メモリ１６に記憶されている電話帳データを参照し（Ｓ１３３）、図１５（ｂ），（ｃ）に示すように、発信履歴による発信操作画面を表示部１５に表示させる（Ｓ１３４）。この場合、制御部１２は、発信履歴データの発信電話番号が電話帳データに登録されていれば、その電話番号に対応する登録名を表示部１５に表示させ、一方、発信履歴データの発信電話番号が電話帳データに登録されていなければ、その電話番号を表示部１５に表示させる。
【０１１０】
次いで、制御部１２は、ユーザが選択した電話番号を発信電話番号として発信する発信処理を行う（Ｓ１３５）。そして、制御部１２は、発信履歴による発信処理を終了すると、この場合も、その時点で作業メモリ１６に記憶されている発信履歴データのうち発信日時が最古の発信履歴データを消去し（Ｓ１３０）、その発信履歴による発信を表す自装置の最新の発信履歴データを作業メモリ１６に自己発信履歴データとして追加記憶させる（Ｓ１３１）。この場合も、制御部１２は、発信電話番号に対応する発信日時としてハンズフリー装置１のＧＰＳ装置が取得した日時をタイムスタンプとして記憶させる。
【０１１１】
また、制御部１２は、ユーザが「履歴ボタン」４ａを押下し、続いて「着信履歴ボタン」４ｃを押下したことにより、着信履歴による発信操作を行った旨を判定すると（Ｓ１２６“ＹＥＳ”）、作業メモリ１６に記憶されている着信履歴データを参照し（Ｓ１３６）、作業メモリ１６に記憶されている電話帳データを参照し（Ｓ１３７）、図１６（ｂ），（ｃ）に示すように、着信履歴による発信操作画面を表示部１５に表示させる（Ｓ１３８）。この場合、制御部１２は、着信履歴データの発信電話番号が電話帳データに登録されていれば、その電話番号に対応する登録名を表示部１５に表示させ、一方、着信履歴データの発信電話番号が電話帳データに登録されていなければ、その電話番号を表示部１５に表示させる。
【０１１２】
次いで、制御部１２は、ユーザが選択した電話番号を発信電話番号として発信する発信処理を行う（Ｓ１３９）。そして、制御部１２は、着信履歴による発信処理を終了すると、この場合も、その時点で作業メモリ１６に記憶されている発信履歴データのうち発信日時が最古の発信履歴データを消去し（Ｓ１３０）、その着信履歴による発信を表す自装置の最新の発信履歴データを作業メモリ１６に自己発信履歴データとして追加記憶させる（Ｓ１３１）。この場合も、制御部１２は、発信電話番号に対応する発信日時としてハンズフリー装置１のＧＰＳ装置が取得した日時をタイムスタンプとして記憶させる。
【０１１３】
また、制御部１２は、ユーザが「電話帳ボタン」４ｄを押下したことにより、電話帳による発信操作を行った旨を判定すると（Ｓ１２７“ＹＥＳ”）、作業メモリ１６に記憶されている電話帳データを参照し（Ｓ１４０）、図１７（ｂ）に示すように、電話帳による発信操作画面を表示部１５に表示させる（Ｓ１４１）。次いで、制御部１２は、そのうちからユーザが選択した電話番号を発信電話番号として発信する発信処理を行う（Ｓ１４２）。そして、制御部１２は、電話帳による発信処理を終了すると、この場合も、その時点で作業メモリ１６に記憶されている発信履歴データのうち発信日時が最古の発信履歴データを消去し（Ｓ１３０）、その電話帳による発信を表す自装置の最新の発信履歴データを作業メモリ１６に自己発信履歴データとして追加記憶させる（Ｓ１３１）。この場合も、制御部１２は、発信電話番号に対応する発信日時としてハンズフリー装置１のＧＰＳ装置が取得した日時をタイムスタンプとして記憶させる。
【０１１４】
さらに、制御部１２は、携帯電話機２からＢｌｕｅｔｏｏｔｈ通信部１３を介して、携帯電話網から着信した旨を判定すると（Ｓ１２８“ＹＥＳ”）、着信を知らせるための報知等の着信処理を行い（Ｓ１４３）、着信処理が終了すると、その時点で作業メモリ１６に記憶されている着信履歴データのうち着信日時が最古の着信履歴データを消去し（Ｓ１４４）、その着信を表す自装置の最新の着信履歴データを作業メモリ１６に自己着信履歴データとして追加記憶させる（Ｓ１４５）。
【０１１５】
すなわち、制御部１２は、携帯電話網から電話番号「０９００００００２００」を着信電話番号としてＢｌｕｅｔｏｏｔｈ通信部１３を経由して受信すると、電話番号「０９００００００２００」を表す着信履歴データを作業メモリ１６に自己着信履歴データとして追加記憶させる。
【０１１６】
このようにすることで、ＨＦＰでの無線通信接続以降、ＰＢＡＰでの無線通信接続を行わなくとも、Ｓ１以降での新たな着信処理、発信処理があった場合、自己の発着信履歴データを追加し、表示部１５に表示させることが可能となる。この結果、やはり、ＨＰＦとＰＢＡＰとの同時接続を行わなくて済むし、ＨＦＰ無線通信接続後、ＨＦＰ無線通信接続を切断し、ＰＢＡＰでの無線通信を接続する必要がなくなるので、１つの電話システムとなった携帯電話機２とハンズフリー装置１とが、実質分離するようなことが防止できる。
【０１１７】
次に、ＰＢＡＰでの無線通信にて受信した発着信履歴データと、ＨＦＰ無線通信接続以降に発生した発信処理、着信処理にて発生した発着信履歴データの表示処理について説明する。
【０１１８】
ＨＦＰ無線接続状態において、携帯電話機２は、着信時に、着信電話番号をハンズフリー装置１に送信するが、このとき着信日時情報を送信しない。そのため、制御部１２は、電話番号「０９００００００２００」に対応する着信日時としてハンズフリー装置１のＧＰＳ装置が取得した日時をタイムスタンプとして記憶させる。つまり、図１４（ｂ）では、最新の電話番号「０９００００００２００」の着信日時はハンズフリー装置１のＧＰＳ装置が取得した日時であり、残りの４件の電話番号の着信日時は携帯電話機２の時計部が取得した日時である。尚、制御部１２は、この状態からユーザが着信履歴データを表示させる操作を行うと、図１６（ｃ）に示す表示画面を表示部１５に表示させる。
【０１１９】
尚、以上は、作業メモリ１６に記憶可能な発信履歴データや着信履歴データの件数が携帯電話機２から自動転送された発信履歴データや着信履歴データの件数よりも少ない場合に、携帯電話機２から自動転送された発信履歴データや着信履歴データのうち発信日時や着信日時が古い発信履歴データや着信履歴データを破棄し、携帯電話機２から自動転送された発信履歴データや着信履歴データのうち発信日時や着信日時が新しい発信履歴データや着信履歴データを優先して作業メモリ１６に記憶する場合を説明したが、ＰＢＡＰでの無線通信を接続するときにハンズフリー装置１が携帯電話機２に対して自動転送すべき件数（本実施形態では５件）を指定し、発信日時や着信日時が新しい発信履歴データや着信履歴データを優先して作業メモリ１６に記憶するようにしても良い。
【０１２０】
また、上記した構成では、ハンズフリー装置１において、新たな発信処理や新たな着信処理を行った場合に、作業メモリ１６に記憶されている発信履歴データや着信履歴データのうち最古の発信履歴データや最古の着信履歴データを消去する場合を説明したが、ユーザの視点からすると、下記のような要望があるため、制御部１２が以下に示す代替処理を行っても良い。これは、本例のように、ＨＦＰ無線通信接続以降、ＰＢＡＰでの無線通信接続を行わない場合に必要となる処理である。
【０１２１】
すなわち、携帯電話機２の時計部が計時する日時と、ハンズフリー装置１のＧＰＳ装置が取得した日時とを比較すると、携帯電話機２の時計部が計時する日時はＧＰＳ装置が取得した日時に比べて誤差が多く正確でない場合があり、また、ユーザが任意に設定することが可能であるので、ユーザが意図的に所定時間分（例えば１０分）進めて設定したり逆に遅れて設定したりする場合がある。
【０１２２】
したがって、仮にユーザが携帯電話機２の日時を所定時間分進めて設定しており、ハンズフリー装置１が当該進められて設定された日時を作業メモリ１６に記憶していたとすると、この状態から携帯電話機２から自動転送された発信履歴データや着信履歴データとハンズフリー装置１の自装置の発信履歴データや着信履歴データとを日時順にしたがって並替えると、ハンズフリー装置１での新たな発信処理や新たな着信処理を行った発信履歴データや着信履歴データが、時間軸では最新であるにも拘らず、一覧表示の表示画面で最上位の欄に表示されることなく、最上位の欄以外の欄（例えば２番目や３番目の欄）に表示されることとなる。これでは、ユーザが記憶している時間軸と表示部１５が表示する時間軸とにずれを発生し、ユーザが違和感を抱いてしまうことになる。
【０１２３】
このような不具合に対応すべく、制御部１２は、携帯電話機２から自動転送された発信履歴データや着信履歴データについては、それらのみの範囲内で最上位の欄以外の欄に日時順にしたがって並べて表示させ、自装置の新たな発信履歴データや新たな着信履歴データについては、最上位の欄に表示させる。これにより、ユーザが記憶している時間軸と調和して表示させることができ、ユーザに違和感を抱かせないようにすることができる。
【０１２４】
尚、制御部１２は、携帯電話機２から自動転送された発信履歴データや着信履歴データを日時順にしたがって並べて表示させる場合に、その発信履歴データや着信履歴データに含まれる日時データで並び替えしなくとも、それら発信履歴データや着信履歴データに発信順を表す発信順データや着信順を表す着信順データが含まれている場合であれば、それら発信順データや着信順データに基づいて発信履歴データや着信履歴データを並べて表示させても良い。
【０１２５】
また、発信順データ、着信順データが明示的に含まれていない場合でも、携帯電話機２から、図７（ａ）、図８（ａ）、図９（ａ）のようなリスト形式でデータが送信され、ハンズフリー装置１で受信した場合、上位にあるデータほど、最新のデータであるというルールに基づき、表示させるようにしても良い。つまり、携帯電話機２は、ハンズフリー装置１にて、現実の発信順、着信順を識別可能な形式で、データを送信する。
【０１２６】
この場合、例えば、携帯電話機２によっては、１２時００分００秒にＡさんから着信があり、１２時００分３０秒にＢさんから着信があった場合、タイムスタンプを秒でなく、分までとすると、全く同じの１２時００分となり、これが携帯電話機２の着信履歴データとして記憶されている。そして、このデータをハンズフリー装置１で受信し、時間順に並び替えたとしても、順位が決められないので、携帯電話機２側で、発信順データ、着信順データを付与してもらったり、上記リスト形式で送信してもらうと都合が良い。これにより、ユーザが記憶している時間軸と調和して表示させることができ、ユーザに違和感を抱かせないようにすることができる。
【０１２７】
これらの場合は、発信履歴データや着信履歴データに含まれる日時データは付属的なものとなり、上記した発信順データや着信順データがユーザの実際の着信順や発信順となる。尚、携帯電話機２は、その単独動作において、着信処理や発信処理を繰り返すが、自分単独の動作であるため、これは発着信の順番は、把握できるため、その順番通りに、発着信履歴を管理することが可能である。このため、自己の時計部による発信日時、着信日時にとらわれずに、発信毎や着信毎に発信順データや着信順データを付与してハンズフリー装置１に送信して、ハンズフリー装置１で着信順データ、発信順データに基づいて発着信履歴データを並べるように処理する。もしくは発信順データや着信順データを付与せずに携帯電話機２で実際の発信順、着信順を判断して構成した上記リストを、ハンズフリー装置１に送信し、ハンズフリー装置１では、上記ルールに従って、実際の発信、着信順に並べるように処理する。
【０１２８】
このようにすれば、仮に、携帯電話機２の時計が、あるタイミングで進めたり、遅くしたり設定すると、この直後に発信、着信が発生すると、携帯電話機２での発信履歴表示、着信履歴表示は、実際の順どおり表示されるが、各データに付加される発信日時、着信日時は、この表示順とは異なることとなる。したがって、このような発着信履歴データを、ハンズフリー装置１で発信日時、着信日時を基準に並び替えすると、実際とは異なる順に表示される。このため、上記発信順データ、着信順データの手法、もしくはリスト形式の手法は、実際の発着信順とならべるには、好都合であると言える。
【０１２９】
この結果、制御部１２は、携帯電話機２での実際の発信順通り、着信順通りに表示部１５にデータを表示することができる。ハンズフリー装置１では、このようなデータ処理を行った後に、上記したように自己のダイアルキー入力での発信処理、発信履歴による発信処理、着信履歴による発信処理、電話帳データによる発信処理を行った場合、その時点で作業メモリ１６に記憶されている発信履歴データのうち発信順データが最古の発信履歴データ、もしくは最古と見なされる発信履歴データを消去し、その発信履歴による発信を表す自装置の最新の発信履歴データを作業メモリ１６に自己発信履歴データとして追加記憶させる。一方、制御部１２は、新たな着信処理が発生した場合、その時点で作業メモリ１６に記憶されている着信履歴データのうち着信順データが最古の発信履歴データ、もしくは最古と見なされる着信履歴データを消去し、その着信履歴による着信を表す自装置の最新の着信履歴データを作業メモリ１６に自己着信履歴データとして追加記憶させる。
【０１３０】
これらの発信処理、着信処理の場合、制御部１２は、発信電話番号に対応する発信日時、着信電話番号に対応する着信日時としてハンズフリー装置１のＧＰＳ装置が取得した日時をタイムスタンプとして記憶させる。このように、ユーザが記憶している時間軸と調和して表示させることができ、ユーザに違和感を抱かせないようにすることができる。
【０１３１】
また、制御部１２は、発信履歴データ、着信履歴データを纏めて表示する全履歴データの表示要求があった場合、上記発信履歴データだけ、上記着信履歴データだけを表示する場合に比べて、所定のソート処理が必要となる。つまり、上述のように着信履歴データや発信履歴データを実際の時間軸通りに、携帯電話機２から、発信順データや着信順データを含めて最新順が分かるように送信されたり、これらデータを含まずに上記リスト形式で送信された場合、上述のようにハンズフリー装置１は、受信したデータに含まれる発信日時、着信日時を基準とせずに、通知されたままの順に表示すると、発信履歴表示だけ、着信履歴表示だけの場合、携帯電話機２での表示順どおりに表示したものとなる。
【０１３２】
ここで、全履歴データを表示する場合、ハンズフリー装置１では、発信履歴データのうち最新データと、着信履歴データのうち最新データとを把握できるが、実際に、二つの最新データのうち最新かを特定することは困難な場合がある。そこで、本例では、全履歴データを表示する場合は、制御部１２は、発信履歴データに含まれる発信日時、着信履歴データに含まれる着信日時を比較し、日時が最新の方を、最新データとして表示する。例えば、制御部１２は、５件の着信履歴データと、５件の発信履歴データの場合、１０件を日時順にソートし、この順に表示する。これによって、ほとんどの場合、ほぼユーザの実際の時間軸通りに発信履歴データと着信履歴データを順に表示させることが可能となる。ただし、携帯電話機２でのタイムスタンプ機能が「分」までであると、１２時００分００秒にＡさんから着信があり、１２時００分３０秒にＢさんへ発信した場合、発信日時と着信日時とは、全く同じの１２時００分となるため、制御部１２は、この場合、発信を着信より最新として表示したり、その逆といった所定の並べ替え処理を行う。
【０１３３】
また、ＰＢＡＰでの無線通信で受信した着信履歴データ３件（Ａ〜Ｃ）の最新順が上述のように把握でき、ＰＢＡＰで受信した発信履歴データ（Ｄ〜Ｆ）の最新順が把握できる場合、制御部１２は、発信履歴データと着信履歴データの日時を、以下のように比較して、並べ替え処理を行う。
【０１３４】
先ず、制御部１２は、ＡとＤの日時を比較し、新しいものを１番目（例えばＡ）とし、次にＢとＤを比較し、新しいものを２番目（例えばＢ）とする。次に、ＣとＤとを比較し、新しいものを３番目（例えばＤ）とし、次にＣとＥの日時を比較し、新しいものを４番目（例えばＣ）とする。次に、制御部１２は、残りのＥとＦとは、Ｅが最新なので、５番目をＥ、６番目をＦとする。比較した日時が同じである場合、制御部１２は、所定の並べ替えルールとして、発信を着信より優先する、もしくはその逆といったように並べ替える。
【０１３５】
また、携帯電話機２では、電話帳データを転送する場合には当該電話帳データのデータ形式をＢｌｕｅｔｏｏｔｈ通信規格で規定されている「ｖＣａｒｄ」のデータフォーマットに変換して転送する必要があると共に、電話帳データが発信履歴データ及び着信履歴データに対して一般的にデータ更新の頻度が低いという事情がある。このことから、制御部１２は、携帯電話機２から発信履歴データ及び着信履歴データをＢｌｕｅｔｏｏｔｈ通信部１３によって先に受信し、その後、携帯電話機２から電話帳データをＢｌｕｅｔｏｏｔｈ通信部１３によって受信しても良い。また、制御部１２は、携帯電話機２から発信履歴データ及び着信履歴データをＢｌｕｅｔｏｏｔｈ通信部１３によって受信し、その後、ユーザが操作部１４にて所定操作を行った場合に限って携帯電話機２から電話帳データをＢｌｕｅｔｏｏｔｈ通信部１３によって受信しても良い。
【０１３６】
また、このようなユーザ操作での電話帳データを転送させるか自動転送させるかは、ハンズフリー装置１においてユーザが手動転送あるいは自動転送を選択して設定しておき、この設定に応じて転送処理を行うようにしても良い。自動転送による設定を「転送しない」に設定した状態で、ＰＢＡＰでの無線接続後に、ユーザによって手動転送操作を行って、電話帳データのみを転送するようにすることもできる。なお、ＨＦＰによる通信接続とＰＢＡＰによる通信接続とをシリアルに接続する場合には、この手動転送操作によって、ＨＦＰでの無線通信接続は、切断され、ＰＢＡＰでの無線通信接続がなされることとなり、データ転送が終了すると、再度、その携帯電話機２に対してＨＦＰでの無線通信を接続し、ハンズフリー通話を可能な状態とする。
【０１３７】
この「転送しない」と設定した場合、データ更新の頻度が高い発信履歴データや着信履歴データをデータ更新の頻度が低い電話帳データよりも優先して受信することができ、また、発信履歴データや着信履歴データを転送するにはデータ変換が必要でないものの電話帳データを転送するにはデータ変換が必要であるという事情から、転送時間が短い発信履歴データや着信履歴データを転送時間が長い電話帳データよりも優先して受信することができる。そして、発信履歴データ、着信履歴データのみを転送することで、転送するデータ量を低減できる。この結果、転送プロトコルでの通信を早期に行え、その後のハンズプロトコルでの通信を早期に行えることができるため、携帯電話機を車両に持ち込んだ場合に、ハンズフリー通話を行うまでの時間を短縮できる。さらに、データ更新の頻度が低く且つ転送時間が長い電話帳データを受信するか否かを、必要に応じて選択することができ、利便性を高めることができる。
【０１３８】
ユーザの上記手動転送操作により、必要に応じて電話帳データを転送した場合、転送が終了すると、自動的にハンフリープロトコルでの通信を実行するため、その電話帳データを利用して、発信する際、ハンズフリー通話を行うことが可能となり、利便性が向上する。そして、さらには、手動転送操作による電話帳データの転送を行った場合には、電話帳データだけは不揮発性の記憶メモリ１７に記憶しておき、記憶されたデータは次回のハンズフリー装置１の起動時に記憶メモリ１７から読出して電話帳データとして利用すると良い。
【０１３９】
また、制御部１２は、携帯電話機２から受信した発信履歴データ、着信履歴データ、及び電話帳データを当該携帯電話機２毎に区別して作業メモリ１６に記憶させても良い。この場合、制御部１２は、携帯電話機２と作業メモリ１６に記憶させているデータとを例えば以下のようにして対応付ける。すなわち、携帯電話機２から受信した発信履歴データ、着信履歴データ及び電話帳データを作業メモリ１６に記憶させるときに、携帯電話機２から受信した当該携帯電話機２に個別に付与されている携帯電話機ＩＤとハンズフリー装置１に個別に付与されている装置ＩＤとに基づいてリンクキーを生成し、その生成したリンクキーと各種データと対応付けて作業メモリ１６に記憶させる。そして、制御部１２は、これ以降に、携帯電話機２から携帯電話機ＩＤを受信すると、その受信した携帯電話機ＩＤと装置ＩＤとに基づいてリンクキーを再度生成し、その生成したリンクキーに対応付けられて作業メモリ１６に記憶されている各種データを更新する。
【０１４０】
次に、上述の図４のフローチャートにおけるＳ２のＨＦＰ処理について詳述する。図１９は、本実施形態に係るＨＦＰ処理の流れの詳細を示すフローチャートである。尚、図１９ではＨＦＰとＰＢＡＰとをシリアル接続する例を示すが、同時接続（マルチプロファイル接続）しても良い
【０１４１】
ハンズフリー通話接続部１０２は、は、Ｂｌｕｅｔｏｏｔｈ通信圏内に存在する携帯電話機２との間で通信回線を確立した旨を判定すると、ＨＦＰでの無線通信接続（起動）し（Ｓ１５１）、携帯電話機２が通話中にあるか否かを判定する（Ｓ１５２）。尚、携帯電話機２が通話中であるか待受中であるかは、ＨＦＰでの無線通信で通知され、ハンズフリー装置１が受信し、この受信した通信状態によって判断する。尚、Ｓ１５１は、Ｓ２の処理に対応している。
【０１４２】
ここで、ハンズフリー通話接続部１０２は、携帯電話機２が通話中ではない、つまり着信を待ち受ける待受中となったことを、判定すると（Ｓ１５２“Ｎｏ”）、接続しているＨＦＰでの無線通信を切断（終了）し（Ｓ１５４）、データ転送制御部１０３がＰＢＡＰでの無線通信を接続する（Ｓ１５５）。つまり、ハンズフリー通話接続部１０２は、携帯電話機２が通話中でなければ、接続したＨＦＰでの無線通信を速やかに自動的に切断してＰＢＡＰでの無線通信を自動接続することにより、携帯電話機２から送信された発信履歴データ、着信履歴データおよび電話帳データをＢｌｕｅｔｏｏｔｈ通信部１３により受信させることになる。
【０１４３】
また、ハンズフリー通話接続部１０２は、携帯電話機２が通話中にある旨を判定すると（Ｓ１５２“ＹＥＳ”）、その通話をハンズフリー装置１を用いたハンズフリー通話を実行する可能性があるとして、ＨＦＰでの無線通信を維持する。尚、この通話を実行するかどうかは、基本的には、携帯電話機２に依存し、携帯電話機２が通話中にＨＦＰでの無線通信接続をすると、自動的に、Ｂｌｕｅｔｏｏｔｈ通信部１３に受話音声を送信する場合もあれば、一方、携帯電話機２での操作によってＢｌｕｅｔｏｏｔｈ通信部１３に受話音声を送信する場合もある。
【０１４４】
そして、ハンズフリー通話接続部１０２は、携帯電話機２が通話を終了したか否かを判定し（Ｓ１５３）、携帯電話機２が通話を終了した旨を判定すると（Ｓ１５３“Ｙｅｓ”）、接続しているＨＦＰでの無線通信を切断（終了）し（Ｓ１５４“Ｎｏ”）、データ転送制御部１０３がＰＢＡＰでの無線通信を接続する（Ｓ１５５）。つまり、ハンズフリー通話接続部１０２は、携帯電話機２が通話中であれば、接続したＨＦＰでの無線通信を当該通話が終了した後に切断してＰＢＡＰでの無線通信を接続することにより、ユーザがハンズフリー通話を終了した後に携帯電話機２から送信された発信履歴データ、着信履歴データおよび電話帳データをＢｌｕｅｔｏｏｔｈ通信部１３により受信させることになる。
【０１４５】
このように携帯電話機２がハンズフリー装置１に接続される場合、ハンズフリー装置１は、該携帯電話機２が通話中かどうか判断し、通話中であるならば、ＰＢＡＰでの無線通信接続に切り替えると、ハンズフリー通話に移行できないため、ＨＦＰでの無線通信を維持し、通話中はＰＢＡＰでの無線通信接続を行わない。そして、通話が終了したと判断されると、ＨＦＰでの無線通信を切断し、ＰＢＡＰでの無線通信接続を行う。この結果、携帯電話機２が単独で通話している場合、スムーズにハンズフリー通話に切り替えることが可能となる。
【０１４６】
また、制御部１２は、携帯電話機２から着信履歴データとして応答した着信履歴と応答しなかった着信（不在着信）履歴とを区別して受信して記憶するようにしても良い。図２０は、本実施形態に係る着信履歴からユーザが発信操作を行う場合の表示画面の遷移の他の一例を示す図である。制御部１２は、ユーザが「履歴ボタン」４ａを押下し、続いて「着信履歴ボタン」４ｃを押下したことにより、着信履歴による発信操作を行った旨を判定すると、作業メモリ１６に記憶されている着信履歴データを参照し、作業メモリ１６に記憶されている電話帳データを参照し、図２０（ｂ），（ｃ）に示すように、着信履歴による発信操作画面を表示部１５に表示させるが、応答した着信である旨を表すアイコン図形（受話器と矢印との組合わせからなる図形）および応答しなかった着信（不在着信）である旨を表すアイコン図形（受話器と×印との組合わせからなる図形）のうちいずれかをデータ毎に表示させる。
【０１４７】
尚、本実施形態では、携帯電話機２から転送された発信履歴データ、着信履歴データ、及び電話帳データが作業メモリ１６に記憶される場合や、電話帳データが記憶メモリ１７に記憶される場合について説明したが、携帯電話機２から転送された発信履歴データ、着信履歴データ、及び電話帳データが記憶メモリ１７に記憶される構成であっても良い。このような構成では、ハンズフリー装置１の電源がオフされた場合であっても、記憶メモリ１７に記憶された発信履歴データ、着信履歴データ、及び電話帳データは保持されることになる。
【０１４８】
尚、上記の図１５、１６、１７、２０では、「同期ボタン」４ｆの記載を省略したが、これらの図に対応する場面においても、「同期ボタン」４ｆが表示されていても良い。
【０１４９】
このように、本実施形態のハンズフリー装置１は、携帯電話機２から履歴データまたは電話帳データを受信する前に、携帯電話機２において履歴データまたは電話帳データの転送が許可されているか否かを確認する同期許可確認処理を実行する。このため、本実施形態のハンズフリー装置１によれば、ハンズフリー装置１と携帯電話機２とのデータ同期の状態に応じた適切な対応を可能にすることができる。
【０１５０】
また、本実施形態のハンズフリー装置１は、携帯電話機２から履歴データ及び電話帳データを転送するための同期処理が成功しなかった場合には、第１の処理を実行する。本実施形態においては、第１の処理は、携帯電話機２において履歴データ及び電話帳データを転送するための同期処理が許可されていない可能性があることを報知することを含む。このため、本実施形態のハンズフリー装置１によれば、ハンズフリー装置１と携帯電話機２とのデータ同期に関する状態を、ユーザが容易に把握することができる。
【０１５１】
より具体的には、携帯電話機２からハンズフリー装置１への履歴データ及び電話帳データの転送ができない場合に、ユーザは、該報知により、データ転送不可の原因が携帯電話機２において履歴データ及び電話帳データを転送するための同期処理が許可されていないことである可能性があることを把握することができる。これにより、本実施形態のハンズフリー装置１は、ユーザが混乱することを低減することができる。そして、ユーザは、携帯電話機２の設定を確認及び変更する等の迅速な対応をとることができる。
【０１５２】
また、本実施形態においては、第１の処理は、ユーザによる履歴データまたは電話帳データを手動転送する操作を受け付け不可であることを報知することを含む。このため、本実施形態のハンズフリー装置１によれば、ユーザに対して、手動転送ができない状態にあることを把握させ、携帯電話機２において履歴データまたは電話帳データを転送するための同期処理が許可されていないにも関わらず、ユーザがハンズフリー装置１側で手動転送ボタンを何度も押下する等の不要な操作を行うことを低減することができる。
【０１５３】
また、本実施形態のハンズフリー装置１は、携帯電話機２から履歴データ及び電話帳データを転送するための同期処理が成功しなかった場合にも、携帯電話機２との間で、ハンズフリー通話可能な接続を維持する。このため、本実施形態のハンズフリー装置１によれば、携帯電話機２から履歴データ及び電話帳データを取得しなくとも、ユーザは、ＨＦＰによるハンズフリー通話を行うことができる。
【０１５４】
なお、本実施形態においては、ハンズフリー装置１は、携帯電話機２とＨＦＰ及びＰＢＡＰによって接続するものとしたが、他の通信プロトコルを採用しても良い。また、ハンズフリー装置１及び携帯電話機２は、Ｂｌｕｅｔｏｏｔｈ以外の無線通信規格によって接続しても良い。
【０１５５】
尚、本実施形態においては、ハンズフリー通話接続部１０２とハンズフリー通話実行部１０４とを異なる機能部として説明したが、ハンズフリー通話接続部１０２が、ハンズフリー通話実行部１０４の機能を備えるものとしても良い。
【０１５６】
尚、本実施形態においては、データ転送制御部１０３は、ＰＢＡＰ接続が失敗した場合に、「同期ボタン」４ｆが押下されると、再度ＰＢＡＰ接続を開始するものとしたが、「同期ボタン」４ｆの押下の有無に関わらず、一定期間、または一定回数まで、ＰＢＡＰ接続をリトライする構成を採用しても良い。
【０１５７】
（第２の実施形態）
この第２の実施形態では、携帯電話機２側でデータ転送の許可設定がされていなかったことで一度ＰＢＡＰ接続が失敗した後に、携帯電話機２側でデータ転送が許可された場合に、許可設定が変更されたことを、ハンズフリー装置１が報知する。
【０１５８】
本実施形態のハンズフリー装置１のハードウェア構成及び機能構成は、図２，３で説明した第１の実施形態と同様である。
【０１５９】
本実施形態のハンズフリー装置１は、第１の処理の実行後、携帯電話機２において履歴データまたは電話帳データを転送するための同期処理が許可された場合、第２の処理を実行する。
【０１６０】
本実施形態において、第２の処理は、同期処理が許可されたことを報知することを含む。例えば、本実施形態の表示制御部１０５は、第１の実施形態の機能を備えた上で、表示部１５に、同期処理が許可されたこと、またはデータ転送が可能になったことを表示する。
【０１６１】
また、第２の処理は、同期処理を開始するか否をユーザに選択可能に表示することを含んでも良い。例えば、本実施形態の表示制御部１０５は、表示部１５に、同期処理を開始するか否をユーザが選択可能な選択画面を表示する。
【０１６２】
また、第２の処理は、ユーザによる履歴データまたは電話帳データの手動転送の操作が受け付け可能になったことを報知することを含んでも良い。例えば、本実施形態の表示制御部１０５は、ユーザによる手動転送の操作を受け付ける操作ボタンの表示態様を変更する、または操作ボタンを非表示状態から表示状態に変更することにより、該報知を実行する。例えば、表示制御部１０５は、非アクティブ表示にしていた手動転送ボタンを、アクティブ表示に変更する。
【０１６３】
なお、報知の手法はこれらに限定されるものではない。例えば、ハンズフリー装置１は、不図示の音声制御部をさらに備え、報知内容を示す音声メッセージをスピーカ１９から出力させても良い。
【０１６４】
また、ハンズフリー装置１は、上述の第２の処理に含まれる複数の処理の全てを実行しても良いし、一部のみを実行しても良い。
【０１６５】
また、データ転送制御部１０３は、携帯電話機２側でデータ転送が許可設定がされていなかったことで一度ＰＢＡＰ接続が失敗した後に、携帯電話機２側でデータ転送が許可された場合、ハンズフリー装置１側または携帯電話機２側で履歴データまたは電話帳データの自動転送が設定されていれば、自動的に、ＰＢＡＰによる履歴データまたは電話帳データの転送処理を実行する。
【０１６６】
このように、本実施形態のハンズフリー装置１は、第１の処理の実行後、携帯電話機２において履歴データまたは電話帳データを転送するための同期処理が許可された場合、同期処理が許可されたこと、またはデータ転送が可能になったことを表示部１５に表示する。このため、本実施形態のハンズフリー装置１によれば、データ転送が可能になったことを、ハンズフリー装置１のユーザが、容易に把握することができる。例えば、車両３の後部座席や助手席に位置する他のユーザが、携帯電話機２の許可設定の操作を行った場合において、運転席に位置するハンズフリー装置１のユーザは、表示部１５を見ることで、データ転送が可能になったことを把握することができる。また、仮に、ハンズフリー装置１のユーザ自身が携帯電話機２の許可設定の操作を行った場合であっても、携帯電話機２の設定を変更したことによってデータ転送が可能になったことを、実際に履歴データまたは電話帳データのデータ転送が完了する前にユーザが把握することができるため、ユーザの利便性を向上させることができる。
【０１６７】
また、本実施形態のハンズフリー装置１は、第１の処理の実行後、携帯電話機２において履歴データまたは電話帳データを転送するための同期処理が許可された場合、同期処理を開始するか否をユーザが選択可能な選択画面を表示する。このため、本実施形態のハンズフリー装置１によれば、ユーザに対して、データ転送が可能になったことを把握させると共に、ユーザの任意のタイミングでデータ転送を実行させることができる。
【０１６８】
また、本実施形態のハンズフリー装置１は、第１の処理の実行後、携帯電話機２において履歴データまたは電話帳データを転送するための同期処理が許可された場合、ユーザによる手動転送の操作を受け付ける操作ボタンの表示態様を変更する、または操作ボタンを非表示状態から表示状態に変更する。このため、本実施形態のハンズフリー装置１によれば、ユーザに、履歴データまたは電話帳データの手動転送が可能になったことを容易に把握させることができる。
【０１６９】
（第３の実施形態）
この第３の実施形態では、ハンズフリー装置１は、携帯電話機２から履歴データ及び電話帳データを転送するための同期処理が成功しなかった場合には、携帯電話機２との接続を切断する。
【０１７０】
図２１は、本実施形態に係るデータ転送処理の流れの一例を示す図である。Ｓ１からＳ９までの処理は、図４で説明した第１の実施形態の処理と同様である。
【０１７１】
本実施形態においては、データ転送制御部１０３は、Ｓ９のユーザによって、再度、ＰＢＡＰ接続処理を実施する指示が入力されたか否かを判定する処理において、再度、ＰＢＡＰ接続処理を実施する指示が入力されなかったと判定した場合（Ｓ９“Ｎｏ”）、携帯電話機２との間のＢｌｕｅｔｏｏｔｈ接続を切断する（Ｓ１０１）。この場合、ハンズフリー装置１と携帯電話機２との間のＨＦＰ接続も切断されるため、携帯電話機２で発着信する電話をハンズフリー通話にすることはできない。
【０１７２】
この場合、ハンズフリー通話接続部１０２は、Ｓ１４の処理に進み、優先順位が次位の携帯電話機２が存在するか否かを判定する。以降の処理は、図４で説明した第１の実施形態の処理と同様である。
【０１７３】
このように、本実施形態のハンズフリー装置１は、携帯電話機２から履歴データ及び電話帳データを転送するための同期処理が成功しなかった場合には、携帯電話機２との接続を切断する。このため、本実施形態のハンズフリー装置１によれば、ユーザが履歴データ及び電話帳データの同期を所望しないことを確認した場合、携帯電話機２との接続を迅速に解除することができる。
【０１７４】
なお、上述の各実施形態のハンズフリー装置１で実行されるプログラムは、ＲＯＭ等に予め組み込まれて提供される。上述の各実施形態のハンズフリー装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１７５】
さらに、上述の各実施形態のハンズフリー装置１で実行されるプログラムを、インターネット等のネットワークに接続されたコンピュータ上に格納し、ネットワーク経由でダウンロードさせることにより提供するように構成しても良い。また、上述の各実施形態のハンズフリー装置１で実行されるプログラムをインターネット等のネットワーク経由で提供または配布するように構成しても良い。
【０１７６】
（変形例１）
上述の各実施形態では、ハンズフリー装置１が車両３に搭載されるものとしたが、ハンズフリー装置１は車載装置に限定されるものではない。例えば、ハンズフリー装置１は、車両３外で、ユーザがハンズフリーで通話をする際に使用可能であっても良い。
【０１７７】
（変形例２）
また、上述の各実施形態では、ハンズフリー装置１は、車両３に搭載された車載ナビゲーション装置の一機能として実現されるとしたが、当該構成に限定されるものではない。ハンズフリー装置１は、ハンズフリー機能を主として実現するハンズフリー専用装置から構成されていても良いし、ＣＤやラジオを再生する車両用オーディオ装置にハンズフリー機能を搭載した装置であっても良い。また、ハンズフリー装置１がポータブル性を有する（可搬タイプの）構成であっても良い。
【０１７８】
（変形例３）
また、上述の各実施形態では、受付部１０１、ハンズフリー通話接続部１０２、データ転送制御部１０３、ハンズフリー通話実行部１０４、及び表示制御部１０５は、制御部１２が記憶メモリ１７からプログラムを読み出して実行することにより、実現されるものとしたが、これらの機能がハードウェア回路によって実現されても良い。
【０１７９】
（その他の変形例）
また、ハンズフリー装置１は、携帯電話機２から受信した発信履歴データ、着信履歴データ、及び電話帳データを記憶メモリ１７に記憶し、携帯電話機２から携帯電話機２から受信した発信履歴データ、着信履歴データ、及び電話帳データを受信する毎に、携帯電話機２から受信した発信履歴データ、着信履歴データ及び電話帳データを更新記憶する構成であっても良い。また、携帯電話機２から受信した携帯電話機２から受信した発信履歴データ、着信履歴データ、及び電話帳データを作業メモリ１６と記憶メモリ１７との双方に記憶し、記憶メモリ１７をバックアップメモリとして使用する構成であっても良い。
【０１８０】
作業メモリ１６に記憶可能な発信履歴データや着信履歴データの件数は１件であっても良い。この場合は、ハンズフリー装置１での発信処理、着信処理があると、必ずＰＢＡＰでの無線通信接続で受信した発信履歴データ、着信履歴データが消去されることとなる。
【０１８１】
また、ハンズフリー装置１において、複数の発信履歴データ、複数の着信履歴を同時に表示するようにしたが、１件ずつ表示するようにしても良い。この場合、例えば、先ず、最初に、最新のデータを表示し、操作部１４の操作により、次に最新のデータを順に表示するようにしても良い。
【０１８２】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１８３】
１  ハンズフリー装置
２  携帯電話機
３  車両
１２  制御部
１３  通信部
１４  操作部
１５  表示部
１６  作業メモリ
１７  記憶メモリ
１８  マイクロホン
１９  スピーカ
４０  基地局
１０１  受付部
１０２  ハンズフリー通話接続部
１０３  データ転送制御部
１０４  ハンズフリー通話実行部
１０５  表示制御部
１５１  報知画面
【要約】      （修正有）【課題】ハンズフリー装置と携帯電話機とのデータ同期の状態の把握を容易にするハンズフリー装置、データ転送方法及びプログラムを提供する。【解決手段】ハンズフリー装置１は、ハンズフリー通話接続部と、データ転送制御部と、を備える。ハンズフリー通話接続部は、携帯電話機とハンズフリー通話可能に接続する。データ転送制御部は、携帯電話機に記憶されている発信履歴データ、着信履歴データ、不在着信履歴データ及び電話帳データのうち少なくともいずれか１つのデータを受信する。また、データ転送制御部は、携帯電話機からデータを受信する前に、携帯電話機においてデータの転送が許可されているか否かを確認する同期許可確認処理を実行する。【選択図】図３【図１】
0006854432.tif 000002
【図２】
0006854432.tif 000003
【図３】
0006854432.tif 000004
【図４】
0006854432.tif 000005
【図５】
0006854432.tif 000006
【図６】
0006854432.tif 000007
【図７】
0006854432.tif 000008
【図８】
0006854432.tif 000009
【図９】
0006854432.tif 000010
【図１０】
0006854432.tif 000011
【図１１】
0006854432.tif 000012
【図１２】
0006854432.tif 000013
【図１３】
0006854432.tif 000014
【図１４】
0006854432.tif 000015
【図１５】
0006854432.tif 000016
【図１６】
0006854432.tif 000017
【図１７】
0006854432.tif 000018
【図１８】
0006854432.tif 000019
【図１９】
0006854432.tif 000020
【図２０】
0006854432.tif 000021
【図２１】
0006854432.tif 000022